(57)【要約】【課題】  上死点のピストンと弁座部材との間の隙間を小さくし、圧縮効率を向上する。【解決手段】  弁座部材１５には、ピストン６のリテーナ８と対面する平坦な圧縮室側面１５Ｂに吸込弁収容凹溝１６を設け、この吸込弁収容凹溝１６に吸込弁１７と吸込弁受け１８を収容する。従って、弁座部材１５の圧縮室側面１５Ｂは、吸込弁収容凹溝１６を吸込弁１７と吸込弁受け１８により埋めることでほぼ平坦にできるから、ピストン６を圧縮室側面１５Ｂに近付け、リテーナ８の上面８Ａと圧縮室側面１５Ｂとの間に形成される無効な隙間Ｇを小さくできる。また、吸込弁収容凹溝１６に吸込弁１７と吸込弁受け１８を直接的に収容することで吸込弁収容凹溝１６を小さく形成できる。これにより、ピストン６が上死点に位置したときの圧縮効率を高めることができる。【選択図】        図１
2008031957.tif 000002
【特許請求の範囲】
【請求項１】
ピストンが往復動可能に挿嵌されたシリンダと、該シリンダの先端に搭載されたシリンダヘッドと、該シリンダヘッドと前記シリンダとの間に設けられて前記ピストンとの間に圧縮室を画成し前記圧縮室に開口する吸込ポートと吐出ポートとを有する弁座部材と、該弁座部材に設けられ前記吸込ポートを開閉する吸込弁と、前記弁座部材に設けられ前記吐出ポートを開閉する吐出弁とを備えてなる往復動圧縮機において、
前記弁座部材は前記ピストンと対面する圧縮室側面を平坦面に形成し、
かつ前記弁座部材には前記圧縮室側面に位置して吸込弁収容凹溝を設け、
該吸込弁収容凹溝には前記吸込弁を収容する構成としたことを特徴とする往復動圧縮機。
【請求項２】
前記吸込弁収容凹溝には、前記吸込弁の開度を規制する吸込弁受けを前記吸込弁の開弁側に重なるように収容する構成としてなる請求項１に記載の往復動圧縮機。
【発明の詳細な説明】
【技術分野】
【０００１】
本発明は、例えば空気等の流体を圧縮するのに好適に用いられる往復動圧縮機に関する。
【背景技術】
【０００２】
一般に、往復動圧縮機としては、シリンダ内でピストンを往復動させることにより、吸込行程で吸込んだ空気を吐出行程で圧縮して吐出するようにした往復動型の空気圧縮機が知られている（例えば特許文献１参照）。
【０００３】
【特許文献１】特開平１０−６８３８２号公報
【０００４】
この種の従来技術による往復動圧縮機は、クランクケースに取付けられたシリンダと、クランク軸に連結され該シリンダ内で往復動するピストンと、前記シリンダの先端に搭載されたシリンダヘッドと、該シリンダヘッドと前記シリンダとの間に設けられ前記ピストンとの間に圧縮室を画成すると共に該圧縮室に開口する吸込ポートと吐出ポートとを有する弁座部材とにより大略構成されている。
【０００５】
また、弁座部材には、ピストンに対面する圧縮室側面に重なるように吸込ポートを開閉する吸込弁が設けられ、シリンダヘッド側面に重なるように吐出ポートを開閉する吐出弁が設けられている。さらに、弁座部材には、閉じ遅れによる圧縮性能の低下を防止するために、各弁が開弁したときの角度を規制する弁受けが設けられている。
【０００６】
そして、往復動圧縮機は、シリンダ内でピストンが往復動しつつ、上死点から下死点に向かう吸込行程では、吸込弁が開弁して吸込ポートから圧縮室内に外気を吸込む。また、下死点から上死点に向かう吐出行程では、吸込弁が閉弁して吐出弁が開弁することにより、圧縮した空気を吐出ポートから外部の空気タンク等に供給する。
【発明の開示】
【発明が解決しようとする課題】
【０００７】
ところで、上述した従来技術による往復動圧縮機は、弁座部材の圧縮室側面に吸込弁と弁受けを重ねて取付けているから、圧縮室側面から圧縮室側に吸込弁と弁受けが突出している。この場合、往復動圧縮機は、ピストンの上死点で該ピストンが弁受けに干渉しないように、上死点に位置するピストンと弁座部材との隙間（トップクリアランス）を大きくする必要がある。或いは、ピストンの先端面に凹部を設け、この凹部により吸込弁、弁受けとの干渉を避けることも考えられる。
【０００８】
しかし、上死点に位置したピストンと弁座部材との間に形成される隙間は、吐出に寄与しない無効な隙間であるから、この無効な隙間を大きくした場合には、吐出できずに圧縮室内に残る圧縮空気の量が増大し、圧縮効率が低下するという問題がある。また、ピストンの先端面に凹部を設ける場合には、往復動圧縮機を構成する多くの部品の寸法公差の累積を組立時の位置ずれとして考慮する必要があり、凹部を吸込弁と弁受けよりも大きく形成しなくてはならないから、この場合にも圧縮効率が低下してしまう。
【０００９】
本発明は上述した従来技術の問題に鑑みなされたもので、本発明の目的は、上死点に位置したときにピストンと弁座部材との間に形成される無効な隙間を小さくし、圧縮効率を向上できるようにした往復動圧縮機を提供することにある。
【課題を解決するための手段】
【００１０】
本発明の往復動圧縮機は、ピストンが往復動可能に挿嵌されたシリンダと、該シリンダの先端に搭載されたシリンダヘッドと、該シリンダヘッドと前記シリンダとの間に設けられて前記ピストンとの間に圧縮室を画成し前記圧縮室に開口する吸込ポートと吐出ポートとを有する弁座部材と、該弁座部材に設けられ前記吸込ポートを開閉する吸込弁と、前記弁座部材に設けられ前記吐出ポートを開閉する吐出弁とを備えてなる。
【００１１】
そして、上述した課題を解決するために、請求項１の発明が採用する構成の特徴は、前記弁座部材は前記ピストンと対面する圧縮室側面を平坦面に形成し、かつ前記弁座部材には前記圧縮室側面に位置して吸込弁収容凹溝を設け、該吸込弁収容凹溝には前記吸込弁を収容する構成としたことにある。
【００１２】
請求項２の発明によると、前記吸込弁収容凹溝には、前記吸込弁の開度を規制する吸込弁受けを前記吸込弁の開弁側に重なるように収容する構成としている。
【発明の効果】
【００１３】
請求項１の発明によれば、平坦面として形成した弁座部材の圧縮室側面に吸込弁収容凹溝を設けているから、この吸込弁収容凹溝に圧縮室側に配置される吸込弁を収容することができる。また、吸込弁収容凹溝に吸込弁を収容したときには、この吸込弁収容凹溝を吸込弁で埋めることができ、弁座部材の圧縮室側面を吸込弁を含んでほぼ平坦にすることができる。
【００１４】
これにより、吸込弁収容凹溝に収容した吸込弁の分だけ、上死点に位置したときのピストンを弁座部材の圧縮室側面に対して近付けることができる。また、吸込弁を直接的に収容する吸込弁収容凹溝は、他の部品の寸法公差を考慮する必要がないから、吸込弁を収容した状態で流体を流通できる最小の大きさに形成することができる。
【００１５】
この結果、上死点に位置したときにピストンと弁座部材との間に形成され、圧縮流体の吐出に寄与しない無効な隙間を小さくできるから、往復動圧縮機を運転したときには、圧縮室内に残留する圧縮流体の量を少なくすることができ、圧縮効率を向上することができる。
【００１６】
請求項２の発明によれば、吸込弁の開弁側に重ねて設けた吸込弁受けは、吸込行程での吸込弁の開度を規制することができるから、閉じ遅れによる損失を無くして圧縮性能を向上することができる。しかも、この吸込弁受けは、吸込弁の開弁側に重なるように吸込弁収容凹溝に収容できるから、前述した請求項１とほぼ同様に、圧縮室内に残留する圧縮流体の量を少なくすることができ、圧縮効率を向上することができる。
【発明を実施するための最良の形態】
【００１７】
以下、本発明の実施の形態による往復動圧縮機として揺動型の空気圧縮機を例に挙げ、図１ないし図４に従って詳細に説明する。
【００１８】
図１において、１は揺動型の空気圧縮機を示し、この空気圧縮機１は、後述のクランクケース２、クランク軸３、電動モータ４、シリンダ５、ピストン６、シリンダヘッド１２、弁座部材１５、吸込弁収容凹溝１６、吸込弁１７、吐出弁１９等によって大略構成されている。
【００１９】
２は内部にクランク室を画成したクランクケースで、該クランクケース２には、クランク室内に位置してクランク軸３が回転可能に支持されている。また、クランクケース２には空気圧縮機１の駆動源となる電動モータ４が取付けられている。また、クランク軸３は、電動モータ４の出力軸４Ａに連結され、該電動モータ４により偏心しつつ回転駆動することができる。
【００２０】
５はクランクケース２上に設けられたシリンダで、該シリンダ５は、円筒状に形成されている。また、シリンダ５は、軸方向の基端側がクランクケース２の上部に衝合し、後述のシリンダヘッド１２等と共にボルト止めされている。
【００２１】
６はシリンダ５内に往復動可能に挿嵌された揺動型のピストンを示している。このピストン６は、図２、図３に示す如く、ほぼ円板状に形成されると共に、その上面側にはリップシール７を挟持するリテーナ８が取付けられている。そして、リップシール７は、ピストン６の外周側を取囲み、ピストン６の外周面とシリンダ５の内周面との間を気密にシールするものである。また、リテーナ８の上面８Ａは、後述する弁座部材１５の圧縮室側面１５Ｂと対面する平坦面として形成されている。
【００２２】
一方、ピストン６の下面側（クランク軸３側）には、ロッド９の先端側が一体的に設けられている。また、ロッド９の基端側は、軸受１０を介してクランク軸３に回転可能に連結されている。これにより、ピストン６は、クランク軸３の回転駆動によってシリンダ５内を揺動しつつ往復動し、後述する弁座部材１５との間に圧縮室１１を形成する。
【００２３】
１２は弁座部材１５等を介してシリンダ５の先端側に搭載されたシリンダヘッドである。このシリンダヘッド１２は、図４に示す如く、ほぼ四角形状の中空なブロックとして形成され、その内部には隔壁１２Ａが設けられている。そして、隔壁１２Ａは、シリンダヘッド１２と弁座部材１５との間に吸込室１３と吐出室１４とを画成している。また、シリンダヘッド１２には、吸込室１３を外部に連通する吸込口１２Ｂと、吐出室１４を外部に連通する吐出口１２Ｃとが設けられている。
【００２４】
また、シリンダヘッド１２には、吐出室１４内に位置して吐出弁受け１２Ｄが設けられ、該吐出弁受け１２Ｄは、後述する吐出弁１９が開弁したときの角度（開度）を規制するものである。これにより、吐出弁受け１２Ｄは、吐出弁１９の閉じ遅れによる圧縮空気の逆流を防止するものである。
【００２５】
一方、シリンダヘッド１２の角隅には例えば４個のボルト挿通孔１２Ｅが設けられ、該シリンダヘッド１２は、各ボルト挿通孔１２Ｅに挿通されるボルト（図示せず）により、シリンダ５、弁座部材１５等と一緒にクランクケース２に取付けられている。
【００２６】
１５はシリンダ５とシリンダヘッド１２との間に設けられた弁座部材である。この弁座部材１５は、シリンダ５内に位置してピストン６との間に圧縮室１１を画成するもので、ほぼ四角形状の板体として形成されている。そして、弁座部材１５は、シリンダヘッド１２側となる上側が平坦なシリンダヘッド側面１５Ａとなり、圧縮室１１（シリンダ５）側となる下側が圧縮室側面１５Ｂとなっている。この圧縮室側面１５Ｂは、ピストン６のリテーナ８の上面８Ａに対面するもので平坦面として形成されている。
【００２７】
また、弁座部材１５には、シリンダヘッド１２側の吸込室１３と圧縮室１１とに連通して開口する吸込ポート１５Ｃと、吐出室１４と圧縮室１１とに連通して開口する吐出ポート１５Ｄとが設けられている。ここで、吸込ポート１５Ｃは、後述する吸込弁収容凹溝１６内の一端部に開口している。さらに、弁座部材１５の角隅には、シリンダヘッド１２の各ボルト挿通孔１２Ｅに対応するように、４個のボルト挿通孔１５Ｅが設けられている。
【００２８】
１６は弁座部材１５の圧縮室側面１５Ｂに設けられた吸込弁収容凹溝を示し、該吸込弁収容凹溝１６は、吸込ポート１５Ｃに対応する位置に配置されている。また、吸込弁収容凹溝１６は、後述する吸込弁１７と吸込弁受け１８を収容することにより、該吸込弁１７、吸込弁受け１８を取付けた状態で弁座部材１５の圧縮室側面１５Ｂが平坦になるようにしている。このように弁座部材１５の圧縮室側面１５Ｂを平坦に形成した場合には、吸込弁１７、吸込弁受け１８にピストン６が干渉する虞がないから、上死点に位置するピストン６を圧縮室側面１５Ｂに近付けることができ、後述する無効な隙間Ｇを小さくすることができる。これにより、運転時に吐出されずに圧縮室１１内に残留する圧縮空気の量を少なくすることができる。
【００２９】
そして、吸込弁収容凹溝１６は、図４に示す如く、吸込弁１７、吸込弁受け１８に対応して細長い長円状の凹陥溝として形成されている。また、吸込弁収容凹溝１６の長さ方向の一端部には、弁座部材１５の吸込ポート１５Ｃが開口している。
【００３０】
ここで、吸込弁収容凹溝１６は、吸込弁１７、吸込弁受け１８との間に空気を抵抗なく流通できる程度の隙間を確保するために、該吸込弁１７、吸込弁受け１８よりも僅かに大きく形成されている。詳しくは、吸込弁収容凹溝１６は、吸込弁１７と吸込弁受け１８を直接的に収容しているから、該吸込弁収容凹溝１６を形成するときに考慮する寸法公差は、吸込弁１７と吸込弁受け１８の寸法公差だけである。従って、吸込弁収容凹溝１６は、空気を流通させるための必要最小限の大きさに設定することができる。
【００３１】
１７は弁座部材１５に設けられた吸込弁で、該吸込弁１７は、弁座部材１５の吸込弁収容凹溝１６内に収容されれている。また、吸込弁１７は、弾性を有する細長い長円状の薄板からなり、その基端側が固定端となって弁座部材１５に取付けられ、先端側が自由端となって弁座部材１５の吸込ポート１５Ｃを開閉可能に覆っている。これにより、吸込弁１７は、外部の空気を圧縮室１１内に吸込む吸込行程で開弁し、圧縮空気を圧縮室１１から吐出する吐出行程で閉弁する。
【００３２】
１８は吸込弁収容凹溝１６内に収容された吸込弁受けで、該吸込弁受け１８は、吸込弁１７の開弁側となる下側に重なるように配設されている。また、吸込弁受け１８は、吸込弁１７の先端側が下向きに撓んで開弁したときの開度を規制するものである。
【００３３】
そして、吸込弁受け１８は、細長い長円状の厚板からなり、その基端側が吸込弁収容凹溝１６の他端部で弁座部材１５に取付けられている。一方、吸込弁受け１８の先端側は、吸込弁１７との間隔を広げるように先端に向け漸次薄肉に形成されている。従って、吸込弁受け１８は、吸込弁１７の開弁を許しつつ、該吸込弁１７が吸込行程で開弁するときの開度を所定の角度で規制することができる。これにより、吸込弁受け１８は、吸込弁１７の閉じ遅れによる圧縮空気の漏れを防止するものである。
【００３４】
ここで、弁座部材１５（吸込弁収容凹溝１６）に対する吸込弁１７と吸込弁受け１８の取付形態について説明する。吸込弁収容凹溝１６の底部には吸込弁１７を配置し、該吸込弁１７の下側に重なるように吸込弁受け１８を配置し、この状態で両者を弁座部材１５側に一緒にねじ止めする。これにより、吸込弁収容凹溝１６内に吸込弁１７と吸込弁受け１８を収容することができる。
【００３５】
このときに、吸込弁収容凹溝１６の深さ寸法は、吸込弁１７と吸込弁受け１８とを重ねた厚さ寸法とほぼ同じ寸法に設定している。従って、弁座部材１５の圧縮室側面１５Ｂは、吸込弁収容凹溝１６に吸込弁１７と吸込弁受け１８とを収容することにより埋めることができるから、吸込弁受け１８の下面を圧縮室側面１５Ｂとほぼ同一面として該圧縮室側面１５Ｂの全体を平坦にすることができる。
【００３６】
そして、弁座部材１５の圧縮室側面１５Ｂは、邪魔な突起物が無く平坦であるから、図３に示す如く、上死点にピストン６を配置したときのリテーナ８の上面８Ａと圧縮室側面１５Ｂとの間に形成される無効な隙間Ｇ（トップクリアランス）を最小限に設定することができる。これにより、圧縮室１１内に残留し、吐出に寄与しない圧縮空気の量を少なくすることができる。
【００３７】
１９は吐出室１４内に位置して弁座部材１５のシリンダヘッド側面１５Ａに設けられた吐出弁である。この吐出弁１９は、弾性を有する細長い薄板により形成されている。また、吐出弁１９は、その基端側が固定端となって弁座部材１５に取付けられ、先端側が自由端となって吐出ポート１５Ｄを開閉可能に覆っている。これにより、吐出弁１９は、吸込弁１７とは逆に吸込行程で閉弁し、吐出行程で開弁する。また、吐出弁１９は、開弁時にシリンダヘッド１２の吐出弁受け１２Ｄに当接して弁開度が規制される。
【００３８】
なお、２０はシリンダ５と弁座部材１５との間に設けられたシール部材、２１はシリンダヘッド１２と弁座部材１５との間に設けられたシール部材を示している。そして、シール部材２０は、圧縮室１１を気密にシールし、シール部材２１は、吸込室１３、吐出室１４を気密にシールしている。
【００３９】
本実施の形態による揺動型の空気圧縮機１は上述の如き構成を有するもので、次に、空気圧縮機１の作動について説明する。
【００４０】
まず、電動モータ４によりクランク軸３を回転駆動したときには、ピストン６がシリンダ５内で揺動しつつ往復動することにより、ピストン６が下向きに変位する吸込行程と、ピストン６が上向きに変位する吐出行程とを交互に繰返す。
【００４１】
この場合、吸込行程では、圧縮室１１側に負圧が生じると、吸込弁１７は、この負圧によって吸込弁受け１８に当接する位置まで開弁し、吐出弁１９は弁座部材１５のシリンダヘッド側面１５Ａに着座して閉弁する。これにより、シリンダヘッド１２の吸込室１３と圧縮室１１とは、弁座部材１５の吸込ポート１５Ｃを介して連通し、外部の空気がシリンダヘッド１２の吸込口１２Ｂから吸込室１３を経由して圧縮室１１内に吸込まれる。
【００４２】
一方、吐出行程では、吸込弁１７が弁座部材１５の圧縮室側面１５Ｂに着座して閉弁する。そして、圧縮室１１内の圧力が上昇すると、吐出弁１９は、シリンダヘッド１２の吐出弁受け１２Ｄに当接する位置まで開弁する。これにより、圧縮室１１とシリンダヘッド１２の吐出室１４とは、弁座部材１５の吐出ポート１５Ｄを介して連通するので、圧縮室１１内の圧縮空気は、吐出室１４からシリンダヘッド１２の吐出口１２Ｃを介して外部に吐出され、外部の空気タンク（図示せず）等に貯留される。
【００４３】
この吐出行程では、ピストン６がシリンダ５内を下死点から上死点に移動し、上死点の位置でリテーナ８の上面８Ａを弁座部材１５の圧縮室側面１５Ｂに最も接近させ、圧縮室１１の容積を最小にする。
【００４４】
ここで、弁座部材１５の圧縮室側面１５Ｂに吸込弁収容凹溝１６を設け、該吸込弁収容凹溝１６に吸込弁１７と吸込弁受け１８を収容しているから、ピストン６のリテーナ８に対面する圧縮室側面１５Ｂを平坦にすることができる。これにより、リテーナ８の上面８Ａと弁座部材１５の圧縮室側面１５Ｂとの間に形成される無効な隙間Ｇ（トップクリアランス）は、吸込弁１７と吸込弁受け１８の厚さ寸法分だけ小さくできるから、吐出できずに圧縮室１１内に残留し、吐出に寄与しない圧縮空気の量を少なくすることができる。
【００４５】
かくして、本実施の形態によれば、ピストン６との間に圧縮室１１を画成する弁座部材１５には、前記ピストン６のリテーナ８と対面する平坦な圧縮室側面１５Ｂに吸込弁収容凹溝１６を設ける。そして、この吸込弁収容凹溝１６には、圧縮室側面１５Ｂに設けられる吸込弁１７と吸込弁受け１８を収容している。このように、吸込弁収容凹溝１６に吸込弁１７と吸込弁受け１８を収容することにより、該吸込弁１７、吸込弁受け１８によって吸込弁収容凹溝１６を埋めることができ、弁座部材１５の圧縮室側面１５Ｂをほぼ平坦にすることができる。
【００４６】
従って、弁座部材１５の圧縮室側面１５Ｂには、従来技術で述べたように吸込弁と吸込弁受けが突出して設けられていないから、平坦な圧縮室側面１５Ｂに対してピストン６のリテーナ８の上面８Ａを可能な限り近付けることができる。即ち、ピストン６を上死点に配置したときのリテーナ８の上面８Ａと弁座部材１５の圧縮室側面１５Ｂとの間に形成される隙間Ｇを最小に設定することができる。
【００４７】
また、吸込弁収容凹溝１６は、吸込弁１７と吸込弁受け１８を直接的に収容しているから、該吸込弁収容凹溝１６を形成するときに考慮する寸法公差は、吸込弁１７と吸込弁受け１８の寸法公差だけであり、吸込弁収容凹溝１６は、空気を流通させるための必要最小限の大きさに設定することができる。
【００４８】
この結果、ピストン６が上死点に配置されたときの圧縮室１１の容積を小さくして、吐出されずに圧縮室１１内に残留する圧縮空気の量を少なくすることができるから、空気圧縮機１を往復動運転したときの圧縮効率を向上することができる。
【００４９】
また、吸込弁収容凹溝１６には、吸込弁１７の開弁側に重ねて吸込弁受け１８を収容しているから、吸込行程で吸込弁１７が開弁したときの開度を規制することができる。これにより、吸込行程から吐出行程に切換わるときには、吸込弁１７を素早く閉弁させることができるから、閉じ遅れによる損失を無くして圧縮性能を向上することができる。そして、吸込弁受け１８を設けた場合でも、前述したように、圧縮室１１内に残留して吐出に寄与しない圧縮空気の量を少なくでき、圧縮効率を向上することができる。
【００５０】
なお、実施の形態では、ピストン６にロッド９が一体的に形成され、該ピストン６が揺動しつつ往復動する揺動型の空気圧縮機１を例に挙げて説明した。しかし、本発明はこれに限らず、別個に設けられたピストンとロッドとがピストンピンを用いて連結され、ピストンがシリンダ内を平行な状態で往復動する形式の往復動圧縮機に適用する構成としてもよい。
【００５１】
また、実施の形態では、吸込弁１７は、圧縮室１１が負圧になったときにだけ開弁し、弁座部材１５の吸込ポート１５Ｃから圧縮室１１に空気を吸込ませる構成とした。しかし、本発明はこれに限るものではなく、シリンダヘッド１２に吸込弁１７を強制的に開弁させるアンロード機構を設ける構成としてもよい。この場合には、運転開始時に電動モータ４に作用する負荷を軽減することができる。
【００５２】
また、実施の形態では、弁座部材１５の吸込弁収容凹溝１６には、吸込弁１７と吸込弁受け１８を収容した場合を例に挙げて説明した。しかし、本発明はこれに限らず、吸込弁収容凹溝１６を吸込弁１７の板厚程度に浅く形成し、該吸込弁１７だけを収容する構成としてもよい。
【００５３】
一方、実施の形態では、クランクケース２に一体的に電動モータ４を設けた場合を例示している。しかし、本発明はこれに限らず、クランクケースと別個に電動モータを配設し、プーリ、ベルト等を介して出力軸とクランク軸とを連結する構成としてもよい。
【００５４】
さらに、実施の形態では、往復動型の空気圧縮機１を例に挙げて説明したが、本発明は空気圧縮機に限らず、例えば真空ポンプ、冷媒圧縮機等にも広く適用することができる。
【図面の簡単な説明】
【００５５】
【図１】本発明の実施の形態による揺動型の空気圧縮機を示す断面図である。
【図２】空気圧縮機を図１中の矢示II−II方向からみた断面図である。
【図３】図１中のシリンダ、ピストン、シリンダヘッド、弁座部材、吸込弁等を拡大して示す拡大断面図である。
【図４】シリンダヘッド、弁座部材、吸込弁、吸込弁受け、吐出弁等を示す分解斜視図である。
【符号の説明】
【００５６】
１  空気圧縮機（往復動圧縮機）
２  クランクケース
３  クランク軸
５  シリンダ
６  ピストン
７  リップシール
８  リテーナ
８Ａ  上面
１１  圧縮室
１２  シリンダヘッド
１３  吸込室
１４  吐出室
１５  弁座部材
１５Ａ  シリンダヘッド側面
１５Ｂ  圧縮室側面
１５Ｃ  吸込ポート
１５Ｄ  吐出ポート
１６  吸込弁収容凹溝
１７  吸込弁
１８  吸込弁受け
１９  吐出弁
Ｇ  上死点のピストン６と弁座部材１５との間の無効な隙間
【図１】
2008031957.tif 000003
【図２】
2008031957.tif 000004
【図３】
2008031957.tif 000005
【図４】
2008031957.tif 000006